(57)【要約】      （修正有）【課題】ステータティースの積層面とステータバックコアの積層面との接触部分に発生するループ電流を抑制して、渦電流損失ひいては鉄損の増大を抑制することができるアキシャルギャップ型回転電機のステータ構造を提供する。【解決手段】ロータ４の中心軸線に沿って対向して配置され、電磁鋼板を積層してなる複数のステータティース５を周方向に配置して、当該複数のステータティース５を、電磁鋼板を積層してなるステータバックコア６に設けた嵌合穴に嵌合固定して、それぞれのステータティースにコイルを巻装してなるステータと、当該ステータを固定するとともに前記回転軸３を回転自在に支持するケース１０とからなるアキシャルギャップ型回転電機のステータ構造において、  前記ステータティースと前記ステータバックコアとの嵌合部分１１において、前記ステータティース５の積層面と前記ステータバックコア６の積層面との間に絶縁層１２を介装する。【選択図】図２
2006166679.tif 000002
【特許請求の範囲】
【請求項１】
複数の永久磁石をディスク状の保持部材に周方向に設けるとともに当該保持部材を回転軸に連結してなるロータと、ロータにロータの中心軸線に沿って対向して配置され、電磁鋼板を積層してなる複数のステータティースを周方向に配置して、当該複数のステータティースを、電磁鋼板を積層してなるステータバックコアに設けた嵌合穴に嵌合固定して、それぞれのステータティースにコイルを巻装してなるステータと、当該ステータを固定するとともに前記回転軸を回転自在に支持するケースとからなるアキシャルギャップ型回転電機のステータ構造において、
前記ステータティースと前記ステータバックコアとの嵌合部分において、前記ステータティースの積層面と前記ステータバックコアの積層面との間に絶縁層を介装してなるアキシャルギャップ型回転電機のステータ構造。
【請求項２】
前記ステータティースの積層面の前記ステータバックコアとの接合部分を形成する部分にステータの周方向にくぼむ凹部を設け、前記絶縁層を当該凹部のみに設けてなる請求項１に記載のアキシャルギャップ型回転電機のステータ構造。
【請求項３】
前記ステータティースを前記ステータバックコアの背面側に突出させて、当該ステータティースの背面側への突出部分を前記ケースに設けた付加嵌合穴に嵌合固定してなる請求項１もしくは２に記載のアキシャルギャップ型回転電機のステータ構造
【請求項４】
前記ステータティースの背面側部分と前記ケースのステータティースに面する部分に、ステータの半径方向に延びる一対以上の嵌合溝を設けるとともに、当該嵌合溝に対応する形状のステータティース固定板を嵌合溝に嵌合固定してなる請求項１〜３のいずれかに記載のアキシャルギャップ型回転電機のステータ構造
【請求項５】
複数の永久磁石をディスク状の保持部材に周方向に設けるとともに当該保持部材を回転軸に連結してなるロータと、ロータにロータの中心軸線に沿って対向して配置され、電磁鋼板を積層してなる複数のステータティースを周方向に配置して、当該複数のステータティースを、電磁鋼板を積層してなるステータバックコアに設けた嵌合穴に嵌合固定して、それぞれのステータティースにコイルを巻装してなるステータと、当該ステータを固定するとともに前記回転軸を回転自在に支持するケースとからなるアキシャルギャップ型回転電機のステータ構造において、
前記ステータティースと前記ステータバックコアとの嵌合部分において、前記ステータティースの積層面と前記ステータバックコアの積層面との間に圧粉材層を介装してなるアキシャルギャップ型回転電機のステータ構造。
【請求項６】
前記ステータティースの積層面の前記ステータバックコアとの接合部分を形成する部分にステータの周方向にくぼむ凹部を設け、前記圧粉材層を当該凹部のみに設けてなる請求項５に記載のアキシャルギャップ型回転電機のステータ構造。
【請求項７】
前記ステータティースを前記ステータバックコアの背面側に突出させて、当該ステータティースの背面側への突出部分を前記ケースに設けた付加嵌合穴に嵌合固定してなる請求項５もしくは６に記載のアキシャルギャップ型回転電機のステータ構造
【請求項８】
前記ステータティースの背面側部分と前記ケースのステータティースに面する部分に、ステータの半径方向に延びる一対以上の嵌合溝を設けるとともに、当該嵌合溝に対応する形状のステータティース固定板を嵌合溝に嵌合固定してなる請求項５〜７のいずれかに記載のアキシャルギャップ型回転電機のステータ構造
【請求項９】
複数の永久磁石をディスク状の保持部材に周方向に設けるとともに当該保持部材を回転軸に連結してなるロータと、ロータにロータの中心軸線に沿って対向して配置され、電磁鋼板を積層してなる複数のステータティースを周方向に配置して、当該複数のステータティースを、電磁鋼板を積層してなるステータバックコアに設けた嵌合穴に圧粉材を充填した後、当該圧粉材に接合して、それぞれのステータティースにコイルを巻装してなるステータと、当該ステータを固定するとともに前記回転軸を回転自在に支持するケースとからなるアキシャルギャップ型回転電機のステータ構造。
【発明の詳細な説明】
【技術分野】
【０００１】
本発明は、回転軸に沿ってステータとディスク状のロータとが対向して配置されるアキシャルギャップ型回転電機のステータ構造に関するものである。
【背景技術】
【０００２】
一般に回転電機では、鉄損、銅損、機械損等の損失により、ステータおよびロータに熱が発生する。特に、回転軸に沿ってステータとディスク状のロータとが対向して配置されるアキシャルギャップ型回転電機においては、ステータを、電磁鋼板を積層して構成するにあたり、例えば特許文献１に記載され、図１５に示すように、ステータティース５１をステータ５２の半径方向Ａに電磁鋼板を積層して構成し、ステータティース５１を嵌合固定するステータバックコア５３を、ステータ５２の中心軸線方向Ｂに電磁鋼板を積層して、ステータバックコア５３に設けた嵌合穴にステータティース５１を嵌合するため、以下に示すような問題点が発生する。
【特許文献１】特開２００４−５６８６０号公報
【発明の開示】
【発明が解決しようとする課題】
【０００３】
つまり、ステータティース５１とステータバックコア５３との嵌合部分５４において、ステータティース５１の積層面と、ステータバックコア５３の積層面とが、ステータティース５１をステータバックコア５３に嵌合するにあたっておのおのの積層方向が直交する形態にて接触するため、ステータ５２の中心軸線方向Ｂには、ステータティース５１を構成する電磁鋼板により電流が流れやすくなり、ステータ５２の半径方向Ａには、ステータバックコア５３を構成する電磁鋼板により電流が流れやすくなって、ステータ５２の励磁電流により発生する磁束により、ステータティース５１の積層面とステータバックコア５３の積層面との接触部分には、ループ電流が発生して、渦電流損失つまりは鉄損が大きくなるという問題点があった。ここで、積層面とは、積層鋼板が層状に重なってなす面であり、かつ、ステータティースの周方向端面およびステータバックコアの嵌合穴の周方向端面を言うものとする。
【０００４】
本発明では、上述した課題を解決することを目的とするものであり、その目的は、ステータティースの積層面とステータバックコアの積層面との接触部分に発生するループ電流を抑制して、渦電流損失ひいては鉄損の増大を抑制することができるアキシャルギャップ型回転電機のステータ構造を提供することにある。
【課題を解決するための手段】
【０００５】
請求項１に係るアキシャルギャップ型回転電機のステータ構造は、複数の永久磁石をディスク状の保持部材に周方向に設けるとともに当該保持部材を回転軸に連結してなるロータと、ロータにロータの中心軸線に沿って対向して配置され、電磁鋼板を積層してなる複数のステータティースを周方向に配置して、当該複数のステータティースを、電磁鋼板を積層してなるステータバックコアに設けた嵌合穴に嵌合固定して、それぞれのステータティースにコイルを巻装してなるステータと、当該ステータを固定するとともに前記回転軸を回転自在に支持するケースとからなるアキシャルギャップ型回転電機のステータ構造において、
前記ステータティースと前記ステータバックコアとの嵌合部分において、前記ステータティースの積層面と前記ステータバックコアの積層面との間に絶縁層を介装してなることを特徴とする。
【発明の効果】
【０００６】
請求項１に係るアキシャルギャップ型回転電機のステータ構造によれば、前記ステータティースと前記ステータバックコアとの嵌合部分において、前記ステータティースの積層面と前記ステータバックコアの積層面との間に絶縁層を介装することにより、ステータティースの電磁鋼板の積層面と、ステータバックコアの積層面とが、ステータティースをステータバックコアに嵌合するにあたって、おのおのの積層方向が直交する形態にて接触することを防止して、当該嵌合部分において、ステータの中心軸線方向には、ステータを構成する電磁鋼板により電流が流れやすくなり、ステータの半径方向には、ステータバックコアを構成する電磁鋼板により電流が流れやすくなることを防止することができ、ステータの励磁電流により発生する磁束により、ステータティースの積層面とステータバックコアの積層面との間に、ループ電流が発生して、渦電流損失つまりは鉄損が大きくなることを抑制することができる。
【発明を実施するための最良の形態】
【０００７】
以下、本発明の実施の形態を図面に基づいて説明する。
図１は本発明に係るアキシャルギャップ型回転電機の一実施形態を示す、アキシャルギャップ型回転電機の略式断面図であり、図２は、本発明に係るアキシャルギャップ型回転電機のステータ構造の一実施形態を示す、アキシャルギャップ型回転電機のステータの略式斜視図である。さらに、図３は本発明に係るアキシャルギャップ型回転電機のステータ構造の一実施形態を示す、アキシャルギャップ型回転電機のステータ構造の部分略式図である。
【０００８】
このアキシャルギャップ型回転電機のステータ構造は、図１に示すように、複数の永久磁石１をディスク状の保持部材２に周方向に等間隔に並べて設けるとともに当該保持部材を回転軸３に連結してなるロータ４と、ロータ４にロータ４の中心軸線に沿って対向して配置され、電磁鋼板を積層してなる複数のステータティース５を周方向に等間隔に並べて配置して、当該複数のステータティース５を、電磁鋼板を積層してなるステータバックコア６に設けた嵌合穴に嵌合固定して、それぞれのステータティース５にコイル７を巻装してなるステータ８と、ステータ８を固定するとともに回転軸３を軸受９を介して回転自在に支持するケース１０とからなるアキシャルギャップ型回転電機のステータ構造において、
ステータティース５とステータバックコア６との嵌合部分１１において、図２および図３に示すように、ステータティース５の積層面とステータバックコア６の積層面との間に樹脂やカプトンテープ等の絶縁シートからなる絶縁層１２を介装してなることを特徴とする。（請求項１に相当）
【０００９】
これによれば、ステータティース５とステータバックコア６との嵌合部分１１において、ステータティース５の積層面とステータバックコア６の積層面との間に絶縁層１２を介装することにより、ステータティース５の積層面と、ステータバックコア６の積層面とが、ステータティース５をステータバックコア５に嵌合するにあたって、おのおのの積層方向が直交する形態にて接触することを防止して、嵌合部分１１において、ステータ８の中心軸線方向には、ステータ８を構成する電磁鋼板により電流が流れやすくなり、ステータ８の半径方向には、ステータバックコア６を構成する電磁鋼板により電流が流れやすくなることを防止することができ、ステータ８の励磁電流により発生する磁束により、ステータティース５の積層面とステータバックコア６の積層面との間に、ループ電流が発生して、渦電流損失つまりは鉄損が大きくなることを抑制することができる。
【００１０】
なお、図１に示す形態のアキシャルギャップ型回転電機では、ステータ８はロータ４を挟んで対向するように一対設けられ、ケース９には冷却路１３が設けられ、ステータティース５およびコイル７の損失による発熱を吸収し冷却するための冷却液が循環される。さらに回転軸３の端部にはロータ４の回転量や位置を検出するための、エンコーダ１４が設けられ、ロータ４の隣接する永久磁石１の間には、リラクタンストルクを利用するために、電磁鋼板からなるロータコア１５が設けられる。また、図３（ｂ）は、図３（ａ）のＸＹ断面を示す。
【００１１】
図４は本発明に係るアキシャルギャップ型回転電機のステータ構造の他の実施形態を示す、アキシャルギャップ型回転電機のステータ構造の部分略式図である。なお、図４（ｂ）は、図４（ａ）のＸＹ断面を示す。
回転電機およびステータ構造の基本的な構造は図１〜３に示したものと同様であるので相違点のみを説明する。
ステータティース５の積層面のステータバックコア６との接合部分を形成する部分にステータの周方向にくぼむ凹部を設けるべく、ステータバックコア６を構成する積層鋼板のうち、図４（ｂ）に示すように、ギャップ側と背面側を除く中間に位置する積層鋼板の周方向長さＬ１を、ギャップ側と背面側に位置する積層鋼板の周方向長さＬ２よりも短く形成し、絶縁層１２を当該凹部のみに設ける。（請求項２に相当）
なおギャップ側とは、ロータに対向する側を示し、背面側とはケース側を示す。
【００１２】
これによれば、ステータティース５の積層面とステータバックコア６の積層面とを、ステータバックコア６のギャップ側と背面側に位置する部分では直接接触させることができ、回転電機の運転中にステータティース５に作用する周方向の力を、ステータバックコア６を構成する電磁鋼板のうち、ギャップ側と背面側に位置する電磁鋼板により、絶縁層１２よりも高い剛性を持って支持することができるため、図３に示した形態のステータ構造に比して、ステータティース５の周方向の支持剛性を高めることができる。
【００１３】
もちろん、ステータティース５の積層面とステータバックコア６の積層面との絶縁性を保つためには、前記凹部つまりは絶縁層１２の中心軸線方向の長さＬ３は、なるべく長くすることが好ましく、ステータティース５の周方向の支持剛性を高めるためには、当該長さＬ３はなるべく短くすることが好ましいため、当該長さＬ３は絶縁性と支持剛性のトレードオフにより決定されることになる。
【００１４】
図５は本発明に係るアキシャルギャップ型回転電機のステータ構造の他の実施形態を示す、アキシャルギャップ型回転電機のステータ構造の部分略式図である。なお、図５（ｂ）は、図５（ａ）のＸＹ断面を示す。
回転電機およびステータ構造の基本的な構造は図１〜３に示したものと同様であるので相違点のみを説明する。
【００１５】
ステータティース５をステータバックコア６の背面側に突出させて、ステータティース５の背面側への突出部分５ａをケース１０に設けた付加嵌合穴に嵌合固定する。（請求項３に相当）
これによれば、回転電機の運転中にステータティース５に作用する周方向の力を、ステータティース５のステータバックコア６の背面側への突出部分５ａと、ケース１０に設けた付加嵌合穴との嵌め合いにより高い剛性をもって支持することができるため、ステータティースの周方向の支持剛性をさらに高めることができる。
【００１６】
図６は本発明に係るアキシャルギャップ型回転電機のステータ構造の他の実施形態を示す、アキシャルギャップ型回転電機のステータ構造の部分略式図である。なお、図６（ｂ）は、図６（ａ）のＸＹ断面を示す。
回転電機およびステータ構造の基本的な構造は図１〜３に示したものと同様であるので相違点のみを説明する。
【００１７】
ステータティース５の背面側部分とケース１０のステータティース５に面する部分に、ステータ８の半径方向に延びる一対以上の嵌合溝を設けるとともに、当該嵌合溝に対応する形状のステータティース固定板１６を嵌合溝に嵌合固定する。（請求項４に相当）
これによれば、回転電機の運転中にステータティース５に作用する周方向の力を、ステータティース５およびケース１０のそれぞれの嵌合溝に嵌合されたステータティース固定板１６により高い剛性をもって支持することができるため、ステータティースの周方向の支持剛性をさらに高めることができる。
【００１８】
図７は本発明に係るアキシャルギャップ型回転電機のステータ構造の他の実施形態を示す、アキシャルギャップ型回転電機のステータ構造の部分略式図である。なお、図７（ｂ）は、図７（ａ）のＸＹ断面を示す。
このアキシャルギャップ型回転電機のステータ構造は、図１に示すように、複数の永久磁石１をディスク状の保持部材２に周方向に等間隔に並べて設けるとともに当該保持部材を回転軸３に連結してなるロータ４と、ロータ４にロータ４の中心軸線に沿って対向して配置され、電磁鋼板を積層してなる複数のステータティース５を周方向に等間隔に並べて配置して、当該複数のステータティース５を、電磁鋼板を積層してなるステータバックコア６に設けた嵌合穴に嵌合固定して、それぞれのステータティース５にコイル７を巻装してなるステータ８と、ステータ８を固定するとともに回転軸３を軸受９を介して回転自在に支持するケース１０とからなるものアキシャルギャップ型回転電機のステータ構造において、
ステータティース５とステータバックコア６との嵌合部分において、図７に示すように、ステータティース５の積層面とステータバックコア６の積層面との間に圧粉材層１７を介装してなるものである。（請求項５に相当）
なお、圧粉材とは、鉄粉などの磁性粉末と、樹脂などの絶縁物を混ぜて固めたものである。
【００１９】
これによれば、請求項１に相当する構成と同じく、ステータティース５とステータバックコア６との嵌合部分において、ステータティース５の積層面とステータバックコア６の積層面との間に圧粉材層１７を介装することにより、ステータティース５の積層面と、ステータバックコア６の積層面とが、ステータティース５をステータバックコア５に嵌合するにあたって、おのおのの積層方向が直交する形態にて接触することを防止して、嵌合部分１１において、ステータ８の中心軸線方向には、ステータ８を構成する電磁鋼板により電流が流れやすくなり、ステータ８の半径方向には、ステータバックコア６を構成する電磁鋼板により電流が流れやすくなることを防止することができ、ステータ８の励磁電流により発生する磁束により、ステータティース５の積層面とステータバックコア６の積層面との間に、ループ電流が発生して、渦電流損失つまりは鉄損が大きくなることを抑制することができる。
【００２０】
加えて、絶縁層の替わりに絶縁層に比して磁束を通しやすい圧粉材層１７を介装することにより、ステータティース５とステータバックコア６により形成される磁気回路の構成をより有利なものとすることができる。
【００２１】
図８は本発明に係るアキシャルギャップ型回転電機のステータ構造の他の実施形態を示す、アキシャルギャップ型回転電機のステータ構造の部分略式図である。なお、図８（ｂ）は、図８（ａ）のＸＹ断面を示す。
回転電機およびステータ構造の基本的な構造は図１および図７に示したものと同様であるので相違点のみを説明する。
ステータティース５の積層面のステータバックコア６との接合部分を形成する部分にステータ８の周方向にくぼむ凹部を設けるべく、ステータバックコア６を構成する積層鋼板のうち、図８（ｂ）に示すように、ギャップ側と背面側を除く中間に位置する積層鋼板の周方向長さＬ１を、ギャップ側と背面側に位置する積層鋼板の周方向長さＬ２よりも短く形成し、圧粉材層１７を当該凹部のみに設ける。（請求項６に相当）
【００２２】
これによれば、ステータティース５の積層面とステータバックコア６の積層面とを、ステータバックコア６のギャップ側と背面側に位置する部分では直接接触させることができ、回転電機の運転中にステータティース５に作用する周方向の力を、ステータバックコア６を構成する電磁鋼板のうち、ギャップ側と背面側に位置する電磁鋼板により、圧粉材層１７よりも高い剛性を持って支持することができるため、図７に示した形態のステータ構造に比して、ステータティース５の周方向の支持剛性を高めることができる。
【００２３】
もちろん、ステータティース５の積層面とステータバックコア６の積層面との絶縁性を保つためには、前記凹部つまりは圧粉材層１７の中心軸線方向の長さＬ３は、なるべく長くすることが好ましく、ステータティース５の周方向の支持剛性を高めるためには、当該長さＬ３はなるべく短くすることが好ましいため、当該長さＬ３は絶縁性と支持剛性のトレードオフにより決定されることになる。
【００２４】
図９は本発明に係るアキシャルギャップ型回転電機のステータ構造の他の実施形態を示す、アキシャルギャップ型回転電機のステータ構造の部分略式図である。なお、図９（ｂ）は、図９（ａ）のＸＹ断面を示す。
回転電機およびステータ構造の基本的な構造は図１および図７に示したものと同様であるので相違点のみを説明する。
【００２５】
ステータティース５をステータバックコア６の背面側に突出させて、ステータティース５の背面側への突出部分５ａをケース１０に設けた付加嵌合穴に嵌合固定する。（請求項７に相当）
これによれば、回転電機の運転中にステータティース５に作用する周方向の力を、ステータティース５のステータバックコア６の背面側への突出部分５ａと、ケース１０に設けた付加嵌合穴との嵌め合いにより高い剛性をもって支持することができるため、ステータティースの周方向の支持剛性をさらに高めることができる。
【００２６】
図１０は本発明に係るアキシャルギャップ型回転電機のステータ構造の他の実施形態を示す、アキシャルギャップ型回転電機のステータ構造の部分略式図である。なお、図１０（ｂ）は、図１０（ａ）のＸＹ断面を示す。
回転電機およびステータ構造の基本的な構造は図１および図７に示したものと同様であるので相違点のみを説明する。
【００２７】
ステータティース５の背面側部分とケース１０のステータティース５に面する部分に、ステータ８の半径方向に延びる一対以上の嵌合溝を設けるとともに、当該嵌合溝に対応する形状のステータティース固定板１６を嵌合溝に嵌合固定する。（請求項８に相当）
これによれば、回転電機の運転中にステータティース５に作用する周方向の力を、ステータティース５およびケース１０のそれぞれの嵌合溝に嵌合されたステータティース固定板１６により高い剛性をもって支持することができるため、ステータティースの周方向の支持剛性をさらに高めることができる。
【００２８】
図１１〜１３は本発明に係るアキシャルギャップ型回転電機のステータ構造の他の実施形態を示す、アキシャルギャップ型回転電機のステータ構造の部分略式図である。なお、図１１〜１３（ｂ）は、それぞれ図１１〜１３（ａ）のＸＹ断面を示す。
ステータ構造の基本的な構造は図７、９、１０に示したものと同様であるので相違点のみを説明する。
図１１は、図７に示すステータ構造において、圧粉材層１７をステータティース５の積層面とステータバックコア６の積層面との嵌合部分のみならず、ステータティース５の積層面全体を覆うように設けたものである。
【００２９】
同様に図１２は、図９に示すステータ構造において、圧粉材層１７をステータティース５の積層面とステータバックコア６の積層面との嵌合部分のみならず、ステータティース５の積層面全体を覆うように設けたものである。
さらに図１３は、図１０に示すステータ構造において、圧粉材層１７をステータティース５の積層面とステータバックコア６の積層面との嵌合部分のみならず、ステータティース５の積層面全体を覆うように設けたものである。
【００３０】
このように、圧粉材層１７をステータティース５の積層面全体を覆うように設けることにより、嵌合部分のみに圧粉材層１７を設けることに比して、製造工数やコストを低減することができるとともに、圧粉材層１７を、ステータティース５の積層面および内外周面にコイルを巻装するに当たり絶縁を保つためのインシュレータとして用いることができる。
【００３１】
図１４は本発明に係るアキシャルギャップ型回転電機のステータ構造の他の実施形態を示す、アキシャルギャップ型回転電機のステータ構造の部分略式図である。なお、図１４（ｂ）は、それぞれ図１４（ａ）のＸＹ断面を示す。
【００３２】
このアキシャルギャップ型回転電機のステータ構造は、図１に示すように、複数の永久磁石１をディスク状の保持部材２に周方向に等間隔に並べて設けるとともに当該保持部材を回転軸に連結してなるロータ４と、ロータ４にロータ４の中心軸線に沿って対向して配置され、図１４に示すように、電磁鋼板を積層してなる複数のステータティース５を周方向に配置して、当該複数のステータティース５を、電磁鋼板を積層してなるステータバックコア６に設けた嵌合穴に圧粉材１８を充填した後、当該圧粉材１７に焼結による拡散結合等の手段により接合して、それぞれのステータティース５にコイル７を巻装してなるステータ８と、当該ステータ８を固定するとともに前記回転軸３を軸受９を介して回転自在に支持するケース１０とからなる。拡散結合の他に接着材を用いて結合してもよい。
【００３３】
これによっても、ステータティース５とステータバックコア６との嵌合部分１１において、ステータティース５の積層面と、ステータバックコア６の積層面とが、おのおのの積層方向が直交する形態にて接触することを防止して、ステータ８の中心軸線方向には、ステータ８を構成する電磁鋼板により電流が流れやすくなり、ステータ８の半径方向には、ステータバックコア６を構成する電磁鋼板により電流が流れやすくなることを防止することができ、ステータ８の励磁電流により発生する磁束により、ステータティース５の積層面とステータバックコア６の積層面との間に、ループ電流が発生して、渦電流損失つまりは鉄損が大きくなることを抑制することができる。
【００３４】
図１に示すアキシャルギャップ型回転電機において、コイル５を図示しないインバータにより励磁すると、ステータの周方向に回転磁界が形成され、周方向に交互に極性が異なる複数の永久磁石１が埋設されたディスク状のロータ４は回転磁界に吸引反発されて回転磁界と同期速度で回転する。
【００３５】
なお、本発明は、上記実施の形態にのみ限定されるものではなく、幾多の変形または変更が可能である。
【産業上の利用可能性】
【００３６】
本発明は、アキシャルギャップ型回転電機のステータ構造に用いて好適なものである。
【図面の簡単な説明】
【００３７】
【図１】本発明に係るアキシャルギャップ型回転電機の一実施形態を示す、略式断面図である。
【図２】本発明に係るアキシャルギャップ型回転電機のステータ構造の一実施形態を示す略式斜視図である。
【図３】本発明に係るアキシャルギャップ型回転電機のステータ構造の他の実施形態を示す略式図である。
【図４】本発明に係るアキシャルギャップ型回転電機のステータ構造の他の実施形態を示す略式図である。
【図５】本発明に係るアキシャルギャップ型回転電機のステータ構造の他の実施形態を示す略式図である。
【図６】本発明に係るアキシャルギャップ型回転電機のステータ構造の他の実施形態を示す略式図である。
【図７】本発明に係るアキシャルギャップ型回転電機のステータ構造の他の実施形態を示す略式図である。
【図８】本発明に係るアキシャルギャップ型回転電機のステータ構造の他の実施形態を示す略式図である。
【図９】本発明に係るアキシャルギャップ型回転電機のステータ構造の他の実施形態を示す略式図である。
【図１０】本発明に係るアキシャルギャップ型回転電機のステータ構造の他の実施形態を示す略式図である。
【図１１】本発明に係るアキシャルギャップ型回転電機のステータ構造の他の実施形態を示す略式図である。
【図１２】本発明に係るアキシャルギャップ型回転電機のステータ構造の他の実施形態を示す略式図である。
【図１３】本発明に係るアキシャルギャップ型回転電機のステータ構造の他の実施形態を示す略式図である。
【図１４】本発明に係るアキシャルギャップ型回転電機のステータ構造の他の実施形態を示す略式図である。
【図１５】従来のアキシャルギャップ型回転電機のステータ構造の他の実施形態を示す、略式断面図である。
【符号の説明】
【００３８】
１  永久磁石
２  保持部材
３  回転軸
４  ロータ
５  ステータティース
６  ステータバックコア
７  コイル
８  ステータ
９  軸受
１０  ケース
１１  嵌合部分
１２  絶縁層
１３  冷却路
１４  エンコーダ
１５  ロータコア
１６  ステータティース固定板
１７  圧粉材層
１８  圧粉材
５１  ステータティース
５２  ステータ
５３  ステータバックコア
５４  嵌合部分
【図１】
2006166679.tif 000003
【図２】
2006166679.tif 000004
【図３】
2006166679.tif 000005
【図４】
2006166679.tif 000006
【図５】
2006166679.tif 000007
【図６】
2006166679.tif 000008
【図７】
2006166679.tif 000009
【図８】
2006166679.tif 000010
【図９】
2006166679.tif 000011
【図１０】
2006166679.tif 000012
【図１１】
2006166679.tif 000013
【図１２】
2006166679.tif 000014
【図１３】
2006166679.tif 000015
【図１４】
2006166679.tif 000016
【図１５】
2006166679.tif 000017